(57)【要約】【課題】過去の所定期間ごとの消費電力量を表示することができる空気調和機を提供することである。【解決手段】空気調和機において、消費電力を検出する手段と、検出した消費電力を積算して消費電力量を求める手段と、消費電力量を送信する手段とを備える空気調和機本体と、カレンダ機能付きの時計手段と、表示部と、時計手段の計時に基づいた所定期間ごとに空調機本体に期間区切り信号を送信する送信手段とを供えるデータ表示装置と、前回の送信手段からの信号が送信されてから今回の送信手段からの信号が送信されるまでの所定期間ごとの消費電力量を記憶する記憶部と、記憶部に記憶された所定期間ごとの消費電力量を呼び出して表示部に表示する表示制御手段と、を備える。【選択図】図７
2009264604.tif 000002
【特許請求の範囲】
【請求項１】
消費電力を検出する手段と、検出した消費電力を積算して消費電力量を求める手段と、前記消費電力量を送信する手段とを備える空気調和機本体と、
カレンダ機能付きの時計手段と、表示部と、前記時計手段の計時に基づいた所定期間ごとに前記空調機本体に期間区切り信号を送信する送信手段とを供えるデータ表示装置と、
前回の前記送信手段からの信号が送信されてから今回の前記送信手段からの信号が送信されるまでの前記所定期間ごとの前記消費電力量を記憶する記憶部と、
前記記憶部に記憶された前記所定期間ごとの前記消費電力量を呼び出して前記表示部に表示する表示制御手段と、
を備えることを特徴とする空気調和機。
【請求項２】
前記記憶部と前記表示制御手段とは前記データ表示装置に設けられていることを特徴とする請求項１記載の空気調和機。
【請求項３】
前記記憶部は前記空気調和機本体に設けられ、前記表示制御手段は前記データ表示装置に設けられ、前記表示制御手段は前記空気調和機本体から前記記憶部に記憶された前記所定期間ごとの前記消費電力量を送信させるとともに送信された前記消費電力量を受信して前記表示部に表示させることを特徴とする請求項１記載の空気調和機。
【請求項４】
前記所定期間は２４時間で、前記送信手段は毎日の午前０：００に前記信号を送信することを特徴とする請求項１ないし３のいずれか一に記載の空気調和機。
【請求項５】
前記所定期間は１ヶ月で、前記送信手段は毎月の１日の午前０：００に前記信号を送信することを特徴とする請求項１ないし３のいずれか一に記載の空気調和機。
【請求項６】
前記データ表示装置は、前記空気調和機本体に運転指令の信号を送信する手段を備えるリモートコントローラに組み込まれていることを特徴とする請求項１ないし５のいずれか一に記載の空気調和機。
【請求項７】
前記表示制御手段は、前記消費電力量を電気代に換算して表示することを特徴とする請求項１ないし６のいずれか一に記載の空気調和機。
【発明の詳細な説明】
【技術分野】
【０００１】
本発明は、空気調和機に関し、特に、空気調和機の運転に伴って消費された電力量（消費電力量）を表示することができる空気調和機に関する。
【背景技術】
【０００２】
近年、家庭やオフィス等で使用される空気調和機には、室内機（空気調和機本体）とリモートコントローラとの間で赤外線信号等を利用した双方向通信を行ない、室内機で計測された空気調和機の消費電力量をリモートコントローラの表示部に表示させるようにしたものが普及している。このような空気調和機としては、例えば、下記特許文献１に記載されたものが知られている。
【０００３】
特許文献１に記載された空気調和機では、リモートコントローラから送信された計測開始信号に基づいて消費電力量の計測が開始され、リモートコントローラから表示要求の信号が送信された場合に計測した消費電力量をリモートコントローラに送信し、リモートコントローラの表示部に表示している。
【特許文献１】特許第３９２８６７９号公報
【発明の開示】
【発明が解決しようとする課題】
【０００４】
特許文献１に記載された空気調和機では、消費電力量の計測を開始してから表示要求を行なった時点までの消費電力量が表示されるだけで、過去の所定期間（例えば、過去の１日ごと、過去の１ヶ月ごと等）の消費電力量を表示することはできない。
【０００５】
省エネ意識を高めるためには、過去の毎日や毎月の消費電力量を表示し、これを比較することが重要であるが、従来はそのような比較を行なえなかった。
【０００６】
また、室内機にカレンダ機能付きの時計を内蔵し、この時計のカレンダを基準として毎日又は毎月の消費電力量を記憶させることも考えられるが、室内機は商用電源で動作するため、停電等の電源遮断が発生すると時計がリセットされるので、実用的でない。
【０００７】
本発明はこのような課題を解決するためになされたものであり、その目的は、過去の所定期間ごとの消費電力量を表示することができる空気調和機を提供することである。
【課題を解決するための手段】
【０００８】
本発明の実施の形態に係る第一の特徴は、空気調和機において、消費電力を検出する手段と、検出した消費電力を積算して消費電力量を求める手段と、前記消費電力量を送信する手段とを備える空気調和機本体と、カレンダ機能付きの時計手段と、表示部と、前記時計手段の計時に基づいた所定期間ごとに前記空調機本体に期間区切り信号を送信する送信手段とを供えるデータ表示装置と、前回の前記送信手段からの信号が送信されてから今回の前記送信手段からの信号が送信されるまでの前記所定期間ごとの前記消費電力量を記憶する記憶部と、前記記憶部に記憶された前記所定期間ごとの前記消費電力量を呼び出して前記表示部に表示する表示制御手段と、を備えることである。
【発明の効果】
【０００９】
本発明によれば、過去の所定期間ごとの消費電力量を記憶部に記憶し、その記憶された消費電力量を呼び出してデータ表示装置の表示部に表示することができる。
【発明を実施するための最良の形態】
【００１０】
以下、本発明の実施の形態を図面を用いて説明する。
【００１１】
（第１の実施の形態）
本発明の第１の実施の形態に係る空気調和機１は、図１に示すように、空気調和機本体である室内機２と、室外機３と、リモートコントローラ４と、データ表示装置５とを備えている。
【００１２】
室内機２は室内の壁面等に取付けられ、室内に温風又は冷風を吹き出すことにより室内の空調を行なう。室内機２は、リモートコントローラ４とデータ表示装置５との間で赤外線信号による双方向通信が可能とされている。室内機２には、送信素子（赤外線発光ＬＥＤ）６、受信素子（赤外線受光フォトトランジスタ）７等が設けられている。
【００１３】
送信素子６は、室内機２とリモートコントローラ４又はデータ表示装置５との間で赤外線信号による通信が行われる場合に、赤外線信号を送信する。
【００１４】
受信素子７は、室内機２とリモートコントローラ４又はデータ表示装置５との間で赤外線信号による通信が行われる場合に、赤外線信号を受信する。
【００１５】
室外機３は室外に設置され、室外機３の内部には室外熱交換器や送風ファンや圧縮機（いずれも図示せず）が収容されている。室外機３と室内機２とは、冷媒が流れる冷媒配管８及び信号を送受信する信号線９により接続されている。
【００１６】
リモートコントローラ４は、空気調和機１を運転操作するために用いられ、リモートコントローラ４には室内機２に運転指令の信号を送信する手段が設けられ、リモートコントローラ４と室内機２との間で赤外線信号による双方向通信が行われる。リモートコントローラ４には、表示部１０、各種の操作釦１１、送信素子（赤外線発光ＬＥＤ）１２、受信素子（赤外線受光フォトトランジスタ）１３等が設けられている。
【００１７】
送信素子１２は、リモートコントローラ４と室内機２との間で赤外線信号による通信が行われる場合に、赤外線信号を送信し、受信素子１３は、リモートコントローラ４と室内機２との間で赤外線信号による通信が行われる場合に、赤外線信号を受信する。
【００１８】
リモートコントローラ４の表示部１０には、リモートコントローラ４において使用者によって設定がなされた設定温度や設定風量等の設定値やリモートコントローラ４と室内機２との間で送受信される各種のデータ、例えば、室内機２から送信されてくる消費電力量、室内温度、室外温度等の各種データが表示される。
【００１９】
データ表示装置５は、室内機２から送信されてくる各種のデータを表示するために用いられ、データ表示装置５と室内機２との間で赤外線信号による双方向通信が行われる。データ表示装置５は、単にデータの表示のみを行なうもので、運転停止や室温、風量等の設定を行なうことができない点及び表示部分の大きい点がリモートコントローラ４とは異なる。
【００２０】
データ表示装置５は三角筒状の筐体１４を有しており、筐体１４の前面部１５には、室内機２から送信されたデータを表示する表示部である液晶表示部１６と、リクエスト釦１７と、推移データ表示釦１８と、送信素子１９（赤外線発光ＬＥＤ）と、受信素子２０（赤外線受光フォトトランジスタ）とが設けられている。なお、送信素子１９と受信素子２０とは、前面部１５の裏側に位置する背面部１５ａにも設けられている。
【００２１】
送信素子１９は、データ表示装置５と室内機２との間で赤外線信号による通信が行われる場合に、赤外線信号を送信し、受信素子２０は、データ表示装置５と室内機２との間で赤外線信号による通信が行われる場合に、赤外線信号を受信する。
【００２２】
これらの送信素子１９と受信素子２０とが筐体１４の前面部１５と背面部１５ａとに設けられていることにより、このデータ表示装置５は、赤外線信号を送信する範囲、及び、赤外線信号を受信する範囲が広くなり、室内機２との間での赤外線信号の送受信の性能向上が図られている。
【００２３】
液晶表示部１６には、データ表示装置５と室内機２との間で送受信される各種のデータ、例えば、室内機２から送信された消費電力量、室内温度、室外温度、及び後述するデータ表示装置５内の記憶部３５に記憶されている過去の１日ごとの消費電力量等が表示される。
【００２４】
リクエスト釦１７は、室内機２からのデータ送信を要求し、室内機２から送信されてきたデータを液晶表示部１６に表示させる釦である。
【００２５】
推移データ表示釦１８は、記憶部３５に記憶されている過去の１日ごとの消費電力量の推移を液晶表示部１６に表示させる釦である。いずれの釦も使用者が希望する際に押圧（ＯＮ）させることで機能する。
【００２６】
図２は、データ表示装置５の液晶表示部１６の表示例を示す正面図である。液晶表示部１６は、３つの表示領域２１、２２、２３に区分けされている。左側の表示領域２１は、データ表示装置５の内部時計をもとに表示される西暦の年月日表示部２１ａと、午前と午後の時刻表示部２１ｂとを有している。中央の表示領域２２は、室内機２から送られてくるデータ信号をもとに表示される室内の摂氏温度と湿度との表示部２２ａと、おすすめ運転の摂氏温度（推奨運転温度）の表示部２２ｂと、屋外の摂氏温度の表示部２２ｃとを有している。右側の表示領域２３は、データ表示装置５の操作に基づく室内機２との間の赤外線による送受信において、データ表示装置５で信号受信がなされない場合に表示が点灯する受信エラー通知表示部２３ａと、消費電力量表示部２３ｂとを有している。
【００２７】
消費電力量表示部２３ｂには、リクエスト釦１７がＯＮされた場合に、室内機２からのデータ信号が受信されると図２に示すように“今日の消費電力量（Ｐｔ）”と“今月の消費電力量（Ｐｍ）”とが表示される。また、推移データ表示釦１８がＯＮされた場合には、過去の直近の１週間分の各日の消費電力量のグラフ（図３参照）が表示される。
【００２８】
なお、推移データ表示釦１８がＯＮされた場合に表示領域２３に表示されるグラフとしては、図３に示した消費電力量のグラフに代えて、図４に示したように消費電力量を電気代に換算したグラフを表示してもよい。この電気代を表示することは消費電力量を表示することとほぼ同じであり、消費電力量から電気代への換算は、制御部２４または３０において消費電力量の単位当りの値段（たとえば２３円／ｋW）に消費電力量を乗算することで行なわれる。
【００２９】
図５は、データ表示装置５と室内機２との内部構成を示すブロック図である。
【００３０】
室内機２には、この室内機２に設けられた各部を制御する制御部２４が設けられている。制御部２４は、各種の演算を行うＣＰＵ、プログラム等の固定データを格納したＲＯＭ、検出したデータ等の可変データを記憶したり演算時の演算領域として使用されるＲＡＭを備えている。さらに、室内機２には、送風ファン２５、室内熱交換器２６、電流センサ２７、送信回路２８、受信回路２９等が設けられている。送信回路２８には送信素子６が接続され、受信回路２９には受信素子７が接続されている。
【００３１】
送風ファン２５は、室内の空気を室内熱交換器２６に向けて送風する。送風ファン２５により送風された空気が室内熱交換器２６により加熱され又は冷却され、温風又は冷風となって室内に吹き出す。これにより、室内の暖房又は冷房が行なわれる。
【００３２】
電流センサ２７は、商用交流電源に接続され、空気調和機１の消費電流を検出する。電流センサ２７で消費電流が検出されると、検出された消費電流に基づいて制御部２４において消費電力が演算され、及び、演算された消費電力が積算されることにより消費電力量“Ｐ”が求められる。なお、電流センサ２７は空気調和機１全体の消費電流を検出することが望ましいが、空気調和機１のほとんどの電力を消費する圧縮機の消費電流でも空気調和機１全体の消費電流との間でそれほど大きな差は出ないので、電流センサ２７により圧縮機の消費電流を検出してもよい。なお、圧縮機の消費電流を検出する場合に、さらに精度を上げるのであれば、室内機２の消費電力と室外機３の圧縮機の消費電力以外の消費電力（室内ファンや室外ファン、制御器の消費電力）を予め定めておいて、それを圧縮機の消費電力に加算するようにしてもよい。
【００３３】
なお、消費電力の演算は、電流センサ２７で検出した消費電流と商用交流電源の電圧とを制御部２４内のＣＰＵで乗算することにより行なわれる。すなわち、電流センサ２７と乗算を行なう制御部２４内のＣＰＵとが消費電力を検出する手段として機能する。さらに制御部２４で算出された(瞬時)消費電力は、さらに制御部２４で積算され、この消費電力を積算して求められた消費電力量“Ｐ”は制御部２４内のデータ記憶手段であるＲＡＭに記憶される。積算された消費電力量“Ｐ”は、データ表示装置５からのリクエスト信号が受信素子７で受信された場合にデータ表示装置５に向けて送信素子６から送信され、データ表示装置５からのリセット信号が受信されるとリセット、すなわち積算値が“０”に戻される。
【００３４】
データ表示装置５には、このデータ表示装置５に設けられた各部を制御する制御部３０が設けられている。制御部３０は、各種の演算を行うＣＰＵ、プログラム等の固定データを格納したＲＯＭ、通信されるデータ等の可変データを記憶したり演算時の演算領域として使用されるＲＡＭとを備えている。さらに、データ表示装置５には、液晶表示部１６、バックライト３１、カレンダ機能付きの時計手段３２、送信回路３３、受信回路３４、記憶部３５、リクエスト釦１７、推移データ表示釦１８、データ表示装置５の各部に電力を供給する乾電池３６等が設けられている。送信回路３３には送信素子１９が接続され、受信回路３４には受信素子２０が接続されている。なお、乾電池３６から受信回路３４への電力供給路の途中にはスイッチ４５が設けられ、受信が必要な期間のみ制御部３０がこのスイッチ４５をＯＮして受信回路３４を動作させる。これは、受信回路３４は消費電力が大きく、受信回路３４を常時ＯＮさせていることにより乾電池３６の寿命が短くなってしまうことを防止するためのものである。
【００３５】
バックライト３１は、点灯されることにより液晶表示部１６の表示面を照明し、この照明により液晶表示部１６の表示が見やすくなる。
【００３６】
記憶部３５は、前述のＲＡＭと兼用することも可能であるが、本実施例では、制御部３０外で電気的に記憶消去が可能なＥＥＰＲＯＭが用いられ、室内機２から送信された所定期間ごとの消費電力量“Ｐｉ”を記憶する。この所定期間は、例えば、１日、１週間、１ヶ月等に設定することができ、必要に応じてその所定期間を変更することができる。ここでは、所定期間が１日に設定されている場合について説明する。
【００３７】
カレンダ機能付きの時計手段３２は、時分を計測する機能に加えて、少なくとも何月何日という月日を計測する機能を有する。時計手段３２は、制御部３０とは別のＣＰＵを設けて時間カウントを行なわせても良いし、制御部３０のＣＰＵで演算処理させて時間カウントを行なわせてもよい。
【００３８】
ここで、データ表示装置５と室内機２との間で行われる赤外線信号を用いた通信時の制御について、図６及び図７のフローチャートに基づいて説明する。なお、各々の制御はデータ表示装置５と室内機２とで分担されており、それぞれの動作がリンクして動作することになるため、図６は室内機２の制御について示し、図７はデータ表示装置５の制御について示している。
【００３９】
室内機２においては、図６に示すように、電流センサ２７による電流“Ｉ”の検出が行なわれ（Ｓ１）、検出された電流“Ｉ”の値と商用電源の電圧値“Ｖ”とを乗算することにより瞬時消費電力が演算され（Ｓ２）、演算された瞬時消費電力を積算することにより消費電力量“Ｐ”が求められる（Ｓ３）。積算された消費電力量“Ｐ”は、制御部２４のＲＡＭに記憶される。
【００４０】
その後、消費電力量“Ｐ”の送信を要求するリクエスト信号を受信したか否かが判断される（Ｓ４）。なお、このリクエスト信号は、詳細を後述するが、データ表示装置５の時計手段３２により時刻が“午前０：００”になったことが検知された場合に（図７に示すＳ１２のＹＥＳ）、又は、リクエスト釦１７がＯＮされた場合（図７に示すＳ２１のＹＥＳ）にデータ表示装置５から送信される（図７に示すＳ１３、Ｓ２２）。
【００４１】
リクエスト信号を受信した場合には（Ｓ４のＹＥＳ）、その時点の消費電力量“Ｐ”がデータ表示装置５に対して送信され（Ｓ５）、ステップＳ１に戻る。
【００４２】
リクエスト信号を受信しない場合には（Ｓ４のＮＯ）、リセット信号を受信したか否かが判断される（Ｓ６）。このリセット信号は、時刻が“午前０：００”になった場合にデータ表示装置５から送信される（図７に示すＳ１７）。
【００４３】
リセット信号を受信しない場合には（Ｓ６のＮＯ）、ステップＳ１に戻る。
【００４４】
リセット信号を受信した場合には（Ｓ６のＹＥＳ）、消費電力量“Ｐ”がリセットされ（Ｓ７）、ステップＳ１に戻り、これが繰り返される。なお、停電などで室内機２の電源が一旦断たれると制御部２４のＲＡＭに記憶されている消費電力量“Ｐ”は消去(リセット)され、復電時から積算が開始される。
【００４５】
データ表示装置５においては、図７に示すように、まず、最初に空気調和機１を設置してからの日数“ｉ”が０、今月の昨日までの消費電力量“Ｐａ”が０の状態に初期設定される（Ｓ１１）。
【００４６】
その後、時計手段３２の計時に基づき、時刻が“午前０：００”であるか否かが判断される（Ｓ１２）。
【００４７】
時刻が“午前０：００”になった場合には（Ｓ１２のＹＥＳ）、自動的に室内機２に対してリクエスト信号が送信される（Ｓ１３）。ここで、スイッチ４５がＯＮし、受信回路３４への電力供給が行なわれ、受信状態となる。室内機２がこのリクエスト信号を受信すると（図６に示すＳ４のＹＥＳ）、室内機２から消費電力量“Ｐ”が送信され（図６に示すＳ５）、データ表示装置５ではこの消費電力量“Ｐ”が受信される（Ｓ１４）。
【００４８】
なお、受信回路３４への電力供給は、室内機２からの応答信号(データ信号)が送信完了するまでの極めて短時間（１／１０秒など）で終了し、スイッチ４５はＯＦＦする。
【００４９】
消費電力量“Ｐ”を受信した後、日数“ｉ”のデータが＋１され（Ｓ１５）、受信した消費電力量“Ｐ”がｉ日目の消費電力量“Ｐｉ”として記憶部３５に記憶される（Ｓ１６）。
【００５０】
その後、リセット信号が室内機２に対して送信される（Ｓ１７）。このリセット信号が室内機２で受信されることにより（図６に示すＳ６のＹＥＳ）、室内機２では積算されていた消費電力量“Ｐ”がリセットされ（図６に示すＳ７）、この時点から再び消費電力量“Ｐ”の積算が開始される。
【００５１】
ステップＳ１７に示すリセット信号の送信が行なわれた後、今日が月の１日であるか否か、言い換えると、月が変わったか否かが判断される（Ｓ１８）。
【００５２】
今日が月の１日である場合には（Ｓ１８のＹＥＳ）、昨日までの１ヶ月の消費電力量“Ｐａ”（先月１ヶ月の消費電力量）がリセットされ（Ｓ１９）、ステップＳ１２に戻る。
【００５３】
今日が月の１日でない場合には（Ｓ１８のＮＯ）、昨日の消費電力量“Ｐｉ”を加算して今月の昨日までの消費電力量“Ｐａ”が求められ（Ｓ２０）、ステップＳ１２に戻る。この消費電力量“Ｐａ”は、記憶部３５に記憶される。
【００５４】
時刻が“午前０：００”でない場合には（Ｓ１２のＮＯ）、リクエスト釦１７がＯＮされたか否かが判断される（Ｓ２１）。
【００５５】
リクエスト釦１７がＯＮされた場合には（Ｓ２１のＹＥＳ）、室内機２に対してリクエスト信号が送信される（Ｓ２２）。その後、バックライト３１が点灯され（Ｓ２３）、タイマ（ｔ）のカウントが開始される（Ｓ２４）。ここで、スイッチ４５がＯＮし、受信回路３４への電力供給が行なわれる。受信回路３４への電力供給は、リクエスト信号に対する室内機２からの応答信号(データ信号)が送信完了するまでの極めて短時間（０．３秒程度）で終了し、スイッチ４５はＯＦＦする。
【００５６】
その間に、ステップＳ２２のリクエスト信号の送信に対して室内機２から送信された消費電力量“Ｐ”が受信され（Ｓ２５）、受信された消費電力量“Ｐ”から今月の今現在までの消費電力量“Ｐｍ”がＰｍ＝Ｐａ＋Ｐで演算され（Ｓ２６）、今日の今現在までの消費電力量“Ｐｔ（＝Ｐ）”と、今月の今現在までの消費電力量“Ｐｍ”とが液晶表示部１６に表示される（Ｓ２７）。なお、本フローチャートでは省略したが、室内機２がリクエスト信号を受信した場合には、室内機２からは消費電力量“Ｐ”以外の室内温度等の他のデータも送信され、それらの他のデータも図２に示すように液晶表示部１６に表示される。
【００５７】
その後、カウント中のタイマ（ｔ）のカウントするバックライト３１の点灯時間が所定時間（５秒）を経過したか否かが判断され（Ｓ２８）、所定時間を経過した場合には（Ｓ２８のＹＥＳ）、点灯及び液晶表示が終了し（Ｓ２９）、ステップＳ１２に戻る。なお、バックライト３１が点灯する所定時間（ｔ）は、乾電池３６の消耗を抑えるために短時間に設定されている。
【００５８】
リクエスト釦１７がＯＮされていない場合は（Ｓ２１のＮＯ）、推移データ表示釦１８がＯＮされたか否かが判断される（Ｓ３０）。
【００５９】
推移データ表示釦１８がＯＮされていない場合には（Ｓ３０のＮＯ）、ステップＳ１２に戻る。
【００６０】
推移データ表示釦１８がＯＮされた場合には（Ｓ３０のＹＥＳ）、バックライト３１が点灯され（Ｓ３１）、タイマ（ｔ）のカウントが開始される（Ｓ３２）。その後、制御部３０は、記憶部３５から直近の過去１週間の各日の消費電力量（Ｐｉ〜Ｐｉ−６）を読み出し、このＰｉ〜Ｐｉ−６の消費電力量データが図３に示すように各々のデータの月日を横軸とした棒グラフ化がなされ、液晶表示部１６の表示領域２３に表示される（Ｓ３３）。このグラフの表示も、タイマがカウントするバックライト３１の点灯時間“ｔ”が所定時間を経過することにより（Ｓ２８のＹＥＳ）、終了する（Ｓ２９）。
【００６１】
このような構成において、データ表示装置５の時計手段１５により時刻が“午前０：００”になったことが検知された場合には（Ｓ１２のＹＥＳ）、自動的にデータ表示装置５から室内機２にリクエスト信号が送信され（Ｓ１３）、室内機２で積算されている１日ごとの消費電力量“Ｐ”がデータ表示装置５に送信され（Ｓ５）、送信された消費電力量“Ｐ”が各日ごとの消費電力量“Ｐｉ”として記憶部３５に自動的に記憶される（Ｓ１６）。このため、何らの操作を行うことなく、各日ごとの消費電力量“Ｐｉ”を得ることができる。
【００６２】
そして、推移データ表示釦１８を使用者がＯＮすることにより（Ｓ３０のＹＥＳ）、記憶部３５に記憶されている各日の消費電力量“Ｐｉ”が図３に示すようにグラフ化されて液晶表示部１６に表示される（Ｓ３３）。したがって、ユーザは推移データ表示釦１８をＯＮすることにより直近の過去１週間の各日の消費電力量“Ｐｉ”をグラフ化して比較することができ、これにより省エネの意識を高めることができる。
【００６３】
また、リクエスト釦１７をＯＮすることにより（Ｓ２１のＹＥＳ）、今月の今現在までの消費電力量“Ｐｍ”が演算され（Ｓ２６）、及び、今日の今現在までの消費電力量“Ｐｔ”と今月の今現在までの消費電力量“Ｐｍ”とが液晶表示部１６に表示される（Ｓ２７）。したがって、ユーザはリクエスト釦１７をＯＮすることにより今日の今現在までの消費電力量“Ｐｔ”と今月の今現在までの消費電力量“Ｐｍ”とを知ることができ、使いすぎなどを確認することができるので、これにより使用者の省エネの意識を高めることができる。
【００６４】
なお、本実施の形態では、推移データ表示釦１８がＯＮされた場合にグラフ化して表示される期間を直近の過去１週間とした場合を例に挙げて示したが、この表示する期間の設定は任意であり、例えば、２週間、ひと月等としてもよい。
【００６５】
また、本実施の形態では、所定期間として1日＝２４時間を設定し、データ表示装置５から室内機２へリクエスト信号を２４時間毎に送信し、２４時間ごとに消費電力量を記憶部３５に記憶する場合を例に挙げて説明している。しかし、この所定期間は図示しない期間設定釦を操作することにより任意に設定することが可能であり、例えば、所定期間を１ヶ月とし、毎月の１日の“午前０：００”にリクエスト信号を室内機２に送信するようにしてもよい。その場合には、１ヶ月ごとの消費電力量が記憶部３５に記憶されることになり、推移データ表示釦１８がＯＮされた場合には、各月ごとの消費電力量がグラフ化されて液晶表示部１６に表示される。
【００６６】
また、本実施の形態では、データ表示装置５をリモートコントローラ４と別個に設けた場合を例に挙げて説明したが、このデータ表示装置５の機能をリモートコントローラ４に組み込んでもよい。その場合には、ユーザはリモートコントローラ４を把持した状態で過去の消費電力量等をリモートコントローラ４の表示部１０に表示することができ、所定期間の消費電力量の確認を手元で行うことができる。
【００６７】
（第２の実施の形態）
本発明の第２の実施の形態に係る空気調和機について、図８及び図９に基づいて説明する。なお、第２の実施の形態に係る空気調和機の機械的な構成は図１及び図５に示した第１の実施の形態に係る空気調和機１と同じであり、機械的な構成部分については図１及び図５を用いて説明する。
【００６８】
図８及び図９は、データ表示装置５と室内機２との間で行われる赤外線信号を用いた通信時の制御について示しており、図８は室内機２の制御について示し、図９はデータ表示装置５の制御について示している。本実施の形態の特徴は、第1の実施の形態では、室内機２に対してデータを要求するリクエスト信号とリセット信号をそれぞれ別の信号とし、期間の区切り、たとえば“午前０：００”に自動的にデータ表示装置５から室内機２へとリクエスト信号、その後リセット信号という２つの信号を順次送信させるようにしたが、この第2の実施の形態では、室内機２に対するデータ要求であるリクエスト信号と消費電気量の積算値のリセットを“定時リクエスト信号”として1つの信号としたものである。
【００６９】
なお、以下の説明においては、室内機２に対するデータ要求であるリクエスト信号を通常リクエスト信号と表記し、“定時リクエスト信号”と区別している。
【００７０】
室内機２においては、図８に示すように、電流センサ２７による電流“Ｉ”の検出が行なわれ（Ｓ４１）、検出された電流“Ｉ”の値と商用電源の電圧値“Ｖ”とを乗算することにより瞬時消費電力が演算され（Ｓ４２）、演算された瞬時消費電力を積算することにより消費電力量“Ｐ”が求められる（Ｓ４３）。積算された消費電力量“Ｐ”は、制御部２４のＲＡＭに記憶される。
【００７１】
その後、消費電力量“Ｐ”の送信を要求する定時リクエスト信号を受信したか否かが判断される（Ｓ４４）。なお、この定時リクエスト信号は、データ表示装置５の時計手段３２により時刻が“午前０：００”になったことが検知された場合に（図９に示すＳ５２のＹＥＳ）、データ表示装置５から自動的に送信される（図９に示すＳ５３）。
【００７２】
定時リクエスト信号を受信した場合には（Ｓ４４のＹＥＳ）、その時点の消費電力量“Ｐ”がデータ表示装置５に対して送信され（Ｓ４５）、消費電力量“Ｐ”がリセットされ（Ｓ４６）、ステップＳ４１に戻る。
【００７３】
定時リクエスト信号を受信しない場合には（Ｓ４４のＮＯ）、通常リクエスト信号を受信したか否かが判断される（Ｓ４７）。なお、この通常リクエスト信号は、データ表示装置５のリクエスト釦１７がＯＮされた場合に（図９に示すＳ５７のＹＥＳ）、データ表示装置５から送信される（図９に示すＳ５８）。なお、リモートコントローラ４からも通常リクエスト信号は送信できるようになっており、その場合、リモートコントローラ４の表示部に消費電力が表示される。
【００７４】
通常リクエスト信号を受信した場合には（Ｓ４７のＹＥＳ）、その時点の消費電力量“Ｐ”がデータ表示装置５に対して送信され（Ｓ４８）、ステップＳ４１に戻る。
【００７５】
通常リクエスト信号を受信しない場合には（Ｓ４７のＮＯ）、リセット信号を受信したか否かが判断される（Ｓ４９）。なお、このリセット信号は、データ表示装置５に設けられたリセット釦（図示せず）がＯＮされた場合にデータ表示装置５から送信される。
【００７６】
リセット信号を受信した場合には（Ｓ４９のＹＥＳ）、消費電力量“Ｐ”がリセットされ（Ｓ５０）、ステップＳ４１に戻る。リセット信号を受信しない場合には（Ｓ４９のＮＯ）、ステップＳ４１に戻る。
【００７７】
データ表示装置５においては、図９に示すように、空気調和機１を設置してからの日数“ｉ”が０に初期設定される（Ｓ５１）。
【００７８】
その後、時計手段３２の計時に基づき、時刻が“午前０：００”であるか否かが判断される（Ｓ５２）。
【００７９】
時刻が“午前０：００”である場合には（Ｓ５２のＹＥＳ）、室内機２に対して定時リクエスト信号が送信される（Ｓ５３）。室内機２がこの定時リクエスト信号を受信すると（図８のＳ４４のＹＥＳ）、室内機２から消費電力量“Ｐ”が送信され（図８のＳ４５）、データ表示装置５ではこの消費電力量“Ｐ”が受信される（Ｓ５４）。
【００８０】
消費電力量“Ｐ”を受信した後、日数“ｉ”のデータが＋１され（Ｓ５５）、受信した消費電力量“Ｐ”がｉ日目の消費電力量“Ｐｉ”として記憶部３５に記憶され（Ｓ５６）、ステップＳ５２に戻る。
【００８１】
時刻が“午前０：００”でない場合には（Ｓ５２のＮＯ）、リクエスト釦１７がＯＮされたか否かが判断される（Ｓ５７）。
【００８２】
リクエスト釦１７がＯＮされた場合には（Ｓ５７のＹＥＳ）、室内機２に対して通常リクエスト信号が送信される（Ｓ５８）。その後、バックライト３１が点灯され（Ｓ５９）、タイマ（ｔ）のカウントが開始される（Ｓ６０）。
【００８３】
その後、ステップＳ５８の通常リクエスト信号の送信に応じて室内機２から送信された消費電力量“Ｐ”が受信され（Ｓ６１）、受信した消費電力量が今日の今現在までの消費電力量“Ｐｔ（＝Ｐ）”として液晶表示部１６に表示される（Ｓ６２）。なお、この場合の表示形態は、図２に示した表示形態と異なり今日の消費電力量“Ｐ”のみが表示されるが、第１の実施の形態と同じように、今月の消費電力量を併せて表示してもよい。
【００８４】
その後、タイマのカウントするバックライト３１の点灯時間“ｔ”が所定時間（５秒）を経過したか否かが判断され（Ｓ６３）、所定時間を経過した場合には（Ｓ６３のＹＥＳ）、表示が終了し（Ｓ６４）、ステップＳ５２に戻る。
【００８５】
リクエスト釦１７がＯＮされていない場合には（Ｓ５７のＮＯ）、推移データ表示釦１８がＯＮされたか否かが判断される（Ｓ６５）。
【００８６】
推移データ表示釦１８がＯＮされていない場合には（Ｓ６５のＮＯ）、ステップＳ５２に戻る。
【００８７】
推移データ表示釦１８がＯＮされた場合には（Ｓ６５のＹＥＳ）、バックライト３１が点灯され（Ｓ６６）、タイマ（ｔ）のカウントが開始される（Ｓ６７）。その後、直近の過去１週間の各日の消費電力量（Ｐｉ〜Ｐｉ−６）が図３に示すようにグラフ化され、液晶表示部１６の表示領域２３に表示される（Ｓ６８）。このグラフの表示も、タイマがカウントするバックライト３１の点灯時間“ｔ”が所定時間を経過することにより（Ｓ６３のＹＥＳ）、終了する（Ｓ６４）。
【００８８】
このような構成において、この第２の実施の形態では、第1の実施の形態と同じ効果を得ることができる。
【００８９】
さらに、この第２の実施の形態では、室内機２において定時リクエスト信号を受信した場合には（Ｓ４４のＹＥＳ）、消費電力量“Ｐ”を送信（Ｓ４５）した後、消費電力量“Ｐ”が自動的にリセットされるので（Ｓ４６）、室内機２で積算されている消費電力量“Ｐ”をリセットするための信号をデータ表示装置５から室内機２に送信する処理が不要となり、信号の数が減り、データ表示装置５の電力消費が減少し、乾電池３６の寿命を延ばすことができる。
【００９０】
（第３の実施の形態）
本発明の第３の実施の形態に係る空気調和機について、図１０及び図１１に基づいて説明する。なお、第３の実施の形態に係る空気調和機の機械的な構成は図１及び図５に示した第１の実施の形態に係る空気調和機と同じであり、機械的な構成部分については図１及び図５を用いて説明する。
【００９１】
本実施の形態では、室内機２に不揮発性のデータ記憶部（ＥＥＰＲＯＭ等）を設け、積算値である消費電力量“Ｐ”は、停電などが発生してもデータが消滅しないように、このデータ記憶部に記憶される。また、消費電力量“Ｐ”は、リセットされることはなく、空気調和機が設置されてから廃棄されるまで継続して積算が行なわれる。また、データ表示装置５は、適切なタイミングでこの消費電力量“Ｐ”を取得(受信)し、これと過去に受信した消費電力量“Ｐ”データとを用いて演算処理することで第１、２の実施の形態と同様に表示を可能とするものである。
【００９２】
図１０及び図１１は、データ表示装置５と室内機２との間で行われる赤外線信号を用いた通信時の制御について示しており、図１０は室内機２の制御について示し、図１１はデータ表示装置５の制御について示している。
【００９３】
室内機２においては、図１０に示すように、電流センサ２７による電流“Ｉ”の検出が行なわれ（Ｓ７１）、検出された電流“Ｉ”の値と商用電源の電圧値“Ｖ”とを乗算することにより瞬時消費電力が演算され（Ｓ７２）、演算された瞬時消費電力を積算することにより消費電力量“Ｐ”が求められる（Ｓ７３）。この消費電力量“Ｐ”は、停電などが発生してもデータが消滅しないように、不揮発性メモリ（ＥＥＰＲＯＭ等）に記憶される。
【００９４】
その後、消費電力量“Ｐ”の送信を要求するリクエスト信号を受信したか否かが判断される（Ｓ７４）。なお、このリクエスト信号は、データ表示装置５の時計手段３２により時刻が“午前０：００”になったことが検知された場合に（図１１に示すＳ８２のＹＥＳ）、又は、リクエスト釦１７がＯＮされた場合に（図１１に示すＳ８９のＹＥＳ）、データ表示装置５から送信される（図１１に示すＳ８３、Ｓ９０）。
【００９５】
室内機２がリクエスト信号を受信した場合には（Ｓ７４のＹＥＳ）、消費電力量“Ｐ”等のデータがデータ表示装置５に対して送信され（Ｓ７５）、ステップＳ７１に戻る。一方、リクエスト信号を受信しない場合には（Ｓ７４のＮＯ）、ステップＳ７１に戻る。
【００９６】
データ表示装置５においては、図１１に示すように、空気調和機１を設置してからの日数“ｉ”が０に初期設定される（Ｓ８１）。
【００９７】
その後、時計手段３２の計時に基づき、時刻が“午前０：００”であるか否かが判断される（Ｓ８２）。
【００９８】
時刻が“午前０：００”である場合には（Ｓ８２のＹＥＳ）、室内機２に対してリクエスト信号が送信される（Ｓ８３）。室内機２がこのリクエスト信号を受信すると（図１０に示すＳ７４のＹＥＳ）、室内機２から消費電力量“Ｐ”等が送信され（図１０に示すＳ７５）、データ表示装置５ではこの消費電力量“Ｐ”が受信される（Ｓ８４）。
【００９９】
消費電力量“Ｐ”を受信した後、日数“ｉ”のデータが＋１され（Ｓ８５）、受信した消費電力量“Ｐ”から前日までの各日の消費電力量“Ｐｉ−１、Ｐｉ−２、…、Ｐ１”を減算した値がｉ日目(今日)の消費電力量“Ｐｉ”として記憶部３５に記憶される（Ｓ８６）。
【０１００】
その後、今日が月の１日であるか否か、言い換えると、月が変わったか否かが判断される（Ｓ８７）。
【０１０１】
今日が月の１日である場合には（Ｓ８７のＹＥＳ）、受信した消費電力量“Ｐ”が先月までの消費電力量“Ｐｂ”として記憶部３５に記憶され（Ｓ８８）、ステップＳ８２に戻る。
【０１０２】
今日が月の１日でない場合には（Ｓ８７のＮＯ）、ステップＳ８２に戻る。
【０１０３】
時刻が“午前０：００”でない場合には（Ｓ８２のＮＯ）、リクエスト釦１７がＯＮされたか否かが判断される（Ｓ８９）。
【０１０４】
リクエスト釦１７がＯＮされた場合には（Ｓ８９のＹＥＳ）、室内機２に対してリクエスト信号が送信される（Ｓ９０）。その後、バックライト３１が点灯され（Ｓ９１）、タイマ（ｔ）のカウントが開始される（Ｓ９２）。
【０１０５】
その後、ステップＳ９０のリクエスト信号の送信に応じて室内機２から送信された消費電力量“Ｐ”等が受信され（Ｓ９３）、ステップＳ９４に記載した数式によって今日の今現在までの消費電力量“Ｐｔ”の演算と、その後のステップＳ９５に記載した数式に基づき今月の今現在までの消費電力量“Ｐｍ”の演算とが行われ、演算結果の今日の今現在までの消費電力量“Ｐｔ”と今月の今現在までの消費電力量“Ｐｍ”とが液晶表示部１６に表示される（Ｓ９６）。
【０１０６】
その後、タイマのカウントするバックライト３１の点灯時間“ｔ”が所定時間（５秒）を経過したか否かが判断され（Ｓ９７）、所定時間を経過した場合は（Ｓ９７のＹＥＳ）、表示が終了し（Ｓ９８）、ステップＳ８２に戻る。
【０１０７】
リクエスト釦１７がＯＮされない場合には（Ｓ８９のＮＯ）、推移データ表示釦１８がＯＮされたか否かが判断される（Ｓ９９）。
【０１０８】
推移データ表示釦１８がＯＮされない場合には（Ｓ９９のＮＯ）、ステップＳ８２に戻る。
【０１０９】
推移データ表示釦１８がＯＮされた場合には（Ｓ９９のＹＥＳ）、バックライト３１が点灯され（Ｓ１００）、タイマのカウントが開始される（Ｓ１０１）。その後、直近の過去１週間の各日の消費電力量（Ｐｉ〜Ｐｉ−６）が図３に示すようにグラフ化され、液晶表示部１６の表示領域２３に表示される（Ｓ１０２）。このグラフの表示も、タイマがカウントするバックライト３１の点灯時間“ｔ”が所定時間を経過することにより（Ｓ９７のＹＥＳ）、終了する（Ｓ９８）。
【０１１０】
このような構成において、この第３の実施の形態では、第１、２の実施の形態と同様に、今日の今現在までの消費電力量“Ｐｔ”、今月の今現在までの消費電力量“Ｐｍ”や直近の過去１週間の各日の消費電力量“Ｐｉ”を液晶表示部１６に表示させることができるので、ユーザの省エネの意識を高めることができる。
【０１１１】
（第４の実施の形態）
本発明の第４の実施の形態に係る空気調和機について、図１２及び図１３に基づいて説明する。なお、第４の実施の形態に係る空気調和機の機械的な構成は図１及び図５に示した第１の実施の形態に係る空気調和機と同じであり、機械的な構成部分については図１及び図５を用いて説明する。本実施の形態においては、より現実的な観点から、データ表示装置５からリクエスト信号を送信したにもかかわらず室内機２からの送信信号がデータ表示装置５で受信されなかった場合における対処を追加したものである。実際にデータ表示装置５と室内機２とは赤外線信号によって双方向通信を行なうもので、その間に障害物があったり、偶然ノイズが入った場合にはこのような事態が生じる。
【０１１２】
図１２及び図１３は、データ表示装置５と室内機２との間で行われる赤外線信号を用いた通信時におけるデータ表示装置５の制御の一連の流れを２つの図に分けて示している。この通信時における室内機２の制御については図１０に示した第３の実施の形態と同じであるので、説明を省略する。
【０１１３】
データ表示装置５においては、図１２に示すように、空気調和機１を設置してからの日数“ｉ”が０、受信失敗日数カウンタのカウント値“Ｆ”が０、受信失敗回数カウンタのカウント値“Ｎ”が０に初期設定される（Ｓ１１１）。なお、受信失敗とは、時刻が“午前０：００”の場合にデータ表示装置５から送信されたリクエスト信号に対して室内機２から送信されるはずの消費電力量“Ｐ”のデータ信号を受信できなかったことを意味する。なお、本実施の形態における消費電力量“Ｐ”は、第３の実施の形態と同様にリセットされることがなく、空気調和機を設置してから破棄されるまで積算し続けられる。
【０１１４】
ステップＳ１１１に続いて時計手段３２の計時に基づき、時刻が“午前０：００”であるか否かが判断される（Ｓ１１２）。
【０１１５】
時刻が“午前０：００”である場合には（Ｓ１１２のＹＥＳ）、室内機２に対してリクエスト信号が送信され（Ｓ１１３）、スイッチ４５がＯＮし、受信回路３４がＯＮされる（Ｓ１１４）。続いて、タイマ（ｔ）のカウントが開始され（Ｓ１１５）、タイマがカウントする受信待ち時間“ｔ”が所定時間（例えば、０．３秒）を経過したか否かが判断され（Ｓ１１６）、及び、消費電力量“Ｐ”を含むデータを受信したか否かが判断される（Ｓ１１７）。なお、室内機２がリクエスト信号を受信すると（図１０に示すＳ７４のＹＥＳ）、室内機２から消費電力量“Ｐ”を含むデータが送信される（図１０に示すＳ７５）。
【０１１６】
消費電力量“Ｐ”を含むデータを受信すると（Ｓ１１７のＹＥＳ）、受信待ち時間“ｔ”がリセットされ、スイッチ４５がＯＦＦ（開放）して受信回路３４がＯＦＦされ（Ｓ１１８）、日数“ｉ”のデータが（ｉ＝ｉ＋１＋Ｆ）の式で演算される（Ｓ１１９）。なお、初期状態ではＦ＝０、ｉ＝０であるからｉ＝１である。“Ｆ”の値が１以上であるか否かが判断される（Ｓ１２０）。
【０１１７】
“Ｆ”の値が１以上でない場合、言い換えると、“Ｆ”の値が０の場合には（Ｓ１２０のＮＯ）、受信した消費電力量“Ｐ”から前日までの各日の消費電力量“Ｐｉ−１、Ｐｉ−２、…、Ｐ１”を減算する演算が行われ、この演算により得られた値がｉ日目の消費電力量“Ｐｉ”として記憶部３５に記憶され（Ｓ１２１）、ステップＳ１１２に戻る。
【０１１８】
一方、“Ｆ”の値が１以上である場合（Ｓ１２０のＹＥＳ）、すなわち消費電力量“Ｐ”の受信に失敗した日がＦ日ある場合、ｉ日目からｉ−Ｆ日目までの消費電力量の平均値が図１２のステップＳ１２２に記載された計算式によって演算され、演算された平均値がＰｉ〜Ｐｉ−Ｆ日の消費電力量として記憶部３５に記憶され（Ｓ１２２）、“Ｆ”の値がリセットされ（Ｓ１２３）、ステップＳ１１２に戻る。この部分での演算は、Ｆ日前に受信された消費電力量“Ｐ”と今回受信された電力量“Ｐ”との差を算出し、これを受信できなかった日数（Ｆ＋１）で除算した結果得られた平均値を受信できなかった日の消費電力量に設定するというものである。
【０１１９】
ステップＳ１１７において消費電力量の受信がなされなかった場合、ステップＳ１１６に戻り、その繰り返しがタイマがカウントする受信待ち時間“ｔ”が所定時間（例えば、０．３秒）を経過すると（Ｓ１１６のＹＥＳ）、受信回路３４がＯＦＦにされ（Ｓ１２４）、受信回路３４の消費電力が低減される。続いて、受信待ち時間“ｔ”がリセットされ（Ｓ１２５）、受信失敗回数カウンタのカウント値“Ｎ”が＋１される（Ｓ１２６）。これは、通常であればリクエスト信号に対して室内機２から送信される応答信号である消費電力量“Ｐ”がデータ表示装置５に到着しなかったことを意味する。続いて、“Ｎ”の値が２より大きいか否かが判断される（Ｓ１２７）。
【０１２０】
“Ｎ”の値が２より大きい（３以上である）場合には（Ｓ１２７のＹＥＳ）、受信失敗日数のカウンタの値“Ｆ”が＋１され（Ｓ１２８）、受信失敗回数カウンタのカウント値“Ｎ”がリセットされ（Ｓ１２９）、ステップＳ１１２に戻る。
【０１２１】
“Ｎ”の値が２より大きくない、すなわち１回目の受信失敗の場合には（Ｓ１２７のＮＯ）、ステップＳ１１３に戻り、再度リクエスト信号が送信される。ステップＳ１１６〜Ｓ１２７では受信失敗が生じても、その後２回はリクエスト信号の送信と受信待ちを繰り返し、一時的な受信失敗に対してリトライするようになっている。そして受信失敗が３回続くとその前日のデータは取得できなかったとして受信失敗日数のカウントアップを行なってその前日のデータ取得をあきらめる。
【０１２２】
説明を前半のステップＳ１１２に戻し、時刻が“午前０：００”でない場合には（Ｓ１１２のＮＯ）、図１３に示すように、リクエスト釦１７がＯＮされたか否かが判断される（Ｓ１３０）。
【０１２３】
リクエスト釦１７がＯＮされた場合には（Ｓ１３０のＹＥＳ）、室内機２に対してリクエスト信号が送信される（Ｓ１３１）。その後、バックライト３１が点灯され（Ｓ１３２）、受信回路３４がＯＮにされ（Ｓ１３３）、タイマ（ｔ）のカウントが開始され（Ｓ１３４）、タイマがカウントする受信待ち時間“ｔ”が所定時間（例えば、０．３秒）を経過したか否かが判断され（Ｓ１３５）、及び、消費電力量“Ｐ”を受信したか否かが判断される（Ｓ１３６）。
【０１２４】
消費電力量“Ｐ”等のデータを受信した場合には（Ｓ１３６のＹＥＳ）、受信回路３４がＯＦＦにされ（Ｓ１３７）、今日の今現在までの消費電力量“Ｐｔ”がステップＳ１３８に記載した数式によって演算され（Ｓ１３８）、演算された“Ｐｔ”が液晶表示部１６に表示される（Ｓ１３９）。
【０１２５】
その後、タイマのカウントするバックライト３１の点灯時間“ｔ”が所定時間（５秒）を経過したか否かが判断され（Ｓ１４０）、所定時間を経過した場合は（Ｓ１４０のＹＥＳ）、表示が終了し（Ｓ１４１）、ステップＳ１１２に戻る。
【０１２６】
タイマがカウントする受信待ち時間“ｔ”が所定時間（例えば、０．３秒）を経過した場合には（Ｓ１３５のＹＥＳ）、受信回路３４がＯＦＦにされ（Ｓ１４２）、液晶表示部１６に受信エラー表示が行なわれる（Ｓ１４３）。この受信エラーの表示も、所定の点灯時間が経過すると（Ｓ１４０のＹＥＳ）、終了する（Ｓ１４１）。
【０１２７】
リクエスト釦１７がＯＮされない場合は（Ｓ１３０のＮＯ）、推移データ表示釦１８がＯＮされたか否かが判断される（Ｓ１４４）。
【０１２８】
推移データ表示釦１８がＯＮされない場合は（Ｓ１４４のＮＯ）、ステップＳ１１２に戻る。
【０１２９】
推移データ表示釦１８がＯＮされると（Ｓ１４４のＹＥＳ）、バックライト３１が点灯され（Ｓ１４５）、タイマのカウントが開始される（Ｓ１４６）。その後、記憶部３５に記憶された直近の過去１週間の各日の消費電力量（Ｐｉ〜Ｐｉ−６）が制御部３０によって図３に示すようにグラフ化され、液晶表示部１６の表示領域２３に表示される（Ｓ１４７）。このグラフの表示も、タイマがカウントするバックライト３１の点灯時間“ｔ”が５秒経過すると（Ｓ１４０のＹＥＳ）、終了する（Ｓ１４１）。
【０１３０】
このような構成において、この第４の実施の形態では、データ表示装置５の時計手段３２により時刻が“午前０：００”になったことが検出されると、データ表示装置５から室内機２にリクエスト信号が送信され（Ｓ１１３）、室内機２で積算されている消費電力量“Ｐ”がデータ表示装置５に送信され、この送信された消費電力量“Ｐ”から前日までの各日の消費電力量“Ｐｉ−１、Ｐｉ−２、…、Ｐ１”を減算することにより、ｉ日目の消費電力量“Ｐｉ”を得ることができ、各日の消費電力量“Ｐｉ”が記憶部３５に自動的に記憶される（Ｓ１２１）。
【０１３１】
なお、データ表示装置５が消費電力量“Ｐ”の受信に失敗した場合には、その後に受信した消費電力量“Ｐ”に基づいて受信に失敗した日の消費電力量“Ｐ”を補完することができ、その補完された消費電力量“Ｐ”が記憶部３５に自動的に記憶される（Ｓ１２２）。
【０１３２】
このため、ユーザは何らの操作を行うことなく、各日ごとの消費電力量“Ｐｉ”を得ることができる。
【０１３３】
そして、推移データ表示釦１８をＯＮすることにより（Ｓ１４４のＹＥＳ）、記憶部３５に記憶されている各日の消費電力量“Ｐｉ”が図３に示すようにグラフ化されて液晶表示部１６に表示される（Ｓ１４７）。したがって、ユーザは推移データ表示釦１８をＯＮすることにより直近の過去１週間の各日の消費電力量“Ｐｉ”を比較することができ、これにより省エネの意識を高めることができる。
【０１３４】
また、リクエスト釦１７をＯＮすることにより（Ｓ１３０のＹＥＳ）、その日のリクエスト釦１７をＯＮした時までの消費電力量“Ｐｔ”が液晶表示部１６に表示されるので（Ｓ１３９）、ユーザはその日のリクエスト釦１７をＯＮにした時までの消費電力量“Ｐｔ”を知ることができ、これにより省エネの意識を高めることができる。
【０１３５】
（第５の実施の形態）
本発明の第５の実施の形態に係る空気調和機について、図１４ないし図１６に基づいて説明する。なお、第１の実施の形態において説明した構成要素と同じ構成要素には同じ符号を付し、重複する説明は省略する。
【０１３６】
図１４は、空気調和機１を構成するデータ表示装置５Ａと室内機２Ａとの内部構成を示すブロック図である。
【０１３７】
室内機２Ａの基本的な構成は第１の実施の形態で説明した室内機２と同じであり、室内機２の構成と異なる点は、記憶部４０が設けられ、この記憶部４０が、室内機２で積算された所定期間ごとの消費電力量“Ｐｉ”を記憶することにある。すなわち、他の実施の形態においては、データ表示装置５Ａ側に消費電力量“Ｐｉ”を記憶させたが、本実施の形態では室内機２側でこれを記憶する。そのため、記憶部４０は、停電した場合にもデータを保持できる不揮発性記憶素子（ＥＥＰＲＯＭ等）が用いられる。また、所定期間は、例えば、１日、１週間、１ヶ月等に設定することができ、必要に応じてその所定期間を変更することができる。
【０１３８】
データ表示装置５Ａの基本的な構成は第１の実施の形態で説明したデータ表示装置５と同じであり、異なる点は、データ表示装置５に設けられていた記憶部３５を有しない点である。
【０１３９】
図１５及び図１６は、データ表示装置５Ａと室内機２Ａとの間で行われる赤外線信号を用いた通信時の制御について示しており、図１５は室内機２Ａの制御について示し、図１６はデータ表示装置５Ａの制御について示している。
【０１４０】
室内機２Ａにおいては、図１４に示すように、空気調和機１を設置してからの所定期間の繰り返し回数“ｉ”が０に初期設定される（Ｓ１５１）。
【０１４１】
その後、電流センサ２７による電流“Ｉ”の検出が行なわれ（Ｓ１５２）、検出された電流“Ｉ”の値と商用電源の電圧値“Ｖ”とを乗算することにより瞬時消費電力が演算され（Ｓ１５３）、演算された瞬時消費電力を積算することにより消費電力量“Ｐ”が求められる（Ｓ１５４）。この消費電力量“Ｐ”は、停電などが発生してもデータが消滅しないように、記憶部４０に記憶される。
【０１４２】
その後、消費電力量のデータ記憶タイミングが到達したことを知らせるタイムアップ信号を受信したか否かが判断される（Ｓ１５５）。なお、このタイムアップ信号は、データ表示装置５の時計手段３２により設定した所定期間に到達したことが検知された場合にデータ表示装置５から送信される（図１６に示すＳ１７３）。
【０１４３】
タイムアップ信号を受信した場合には（Ｓ１５５のＹＥＳ）、所定期間“ｉ”のデータが＋１され（Ｓ１５６）、積算した消費電力量“Ｐ”が所定期間のｉ番目の消費電力量“Ｐｉ”として記憶部４０に記憶され（Ｓ１５７）、“Ｐ”の値がリセットされ（Ｓ１５８）、ステップＳ１５２に戻る。
【０１４４】
タイムアップ信号を受信しなかった場合には（Ｓ１５５のＮＯ）、リクエスト信号を受信したか否かが判断される（Ｓ１５９）。リクエスト信号は、データ表示装置５Ａのリクエスト釦１７がＯＮされることにより送信される（図１６に示すＳ１７５）。
【０１４５】
リクエスト信号を受信した場合には（Ｓ１５９のＹＥＳ）、リクエスト信号を受信した時点の消費電力量“Ｐ”が送信され（Ｓ１６０）、ステップＳ１５２に戻る。
【０１４６】
リクエスト信号を受信しなかった場合には（Ｓ１５９のＮＯ）、データ表示装置５の推移データ表示釦１８がＯＮされることにより発生する推移データ表示リクエスト信号を受信したか否かが判断される（Ｓ１６１）。
【０１４７】
推移データ表示リクエスト信号を受信しなかった場合には（Ｓ１６１のＮＯ）、ステップＳ１５２に戻る。
【０１４８】
推移データ表示リクエスト信号を受信した場合には（Ｓ１６１のＹＥＳ）、記憶部４０に記憶されている直近の過去７回の各所定期間の消費電力量（Ｐｉ〜Ｐｉ−６）がデータ表示装置５に対して送信され（Ｓ１６２）、ステップＳ１５２に戻る。
【０１４９】
一方、データ表示装置５Ａでは、消費電力量を積算する所定期間が設定され（Ｓ１７１）、その所定期間が経過したか否かが判断される（Ｓ１７２）。
【０１５０】
時計手段３２の出力に基づき所定期間が経過したと判断された場合には（Ｓ１７２のＹＥＳ）、タイムアップ信号が室内機２に対して送信され（Ｓ１７３）、ステップＳ１７２に戻る。
【０１５１】
所定期間が終了していなければ（Ｓ１７２のＮＯ）、リクエスト釦１７がＯＮされたか否かが判断される（Ｓ１７４）。
【０１５２】
リクエスト釦１７がＯＮされると（Ｓ１７４のＹＥＳ）、室内機２Ａに対してリクエスト信号が送信される（Ｓ１７５）。その後、バックライト３１が点灯され（Ｓ１７６）、タイマ（ｔ）のカウントが開始される（Ｓ１７７）。
【０１５３】
その後、ステップＳ１７５のリクエスト信号の送信に応じて室内機２Ａから送信された消費電力量“Ｐ”が受信され（Ｓ１７８）、所定期間内の今現在までの消費電力量“Ｐｔ（＝Ｐ）”が液晶表示部１６に表示される（Ｓ１７９）。なお、室内機２Ａがリクエスト信号を受信した場合には、室内機２Ａからは消費電力量“Ｐ”以外の室内温度等の他のデータも送信され、それらの他のデータも液晶表示部１６に表示される。
【０１５４】
その後、タイマのカウントするバックライト３１の点灯時間“ｔ”が所定時間（５秒）を経過したか否かが判断され（Ｓ１８０）、所定時間を経過した場合には（Ｓ１８０のＹＥＳ）、表示が終了し（Ｓ１８１）、ステップＳ１７２に戻る。
【０１５５】
リクエスト釦１７がＯＮされなければ（Ｓ１７４のＮＯ）、推移データ表示釦１８がＯＮされたか否かが判断される（Ｓ１８２）。
【０１５６】
推移データ表示釦１８がＯＮされなければ（Ｓ１８２のＮＯ）、ステップＳ１７２に戻る。
【０１５７】
推移データ表示釦１８がＯＮされた場合には（Ｓ１８２のＹＥＳ）、推移データ表示リクエスト信号が室内機２Ａに対して送信され（Ｓ１８３）、バックライト３１が点灯され（Ｓ１８４）、タイマのカウントが開始される（Ｓ１８５）。
【０１５８】
その後、推移データ表示リクエスト信号を受信した室内機２Ａから送信される直近の過去の複数回の所定期間、ここでは７回分の各所定期間の消費電力量（Ｐｉ〜Ｐｉ−６）が受信され（Ｓ１８６）、受信された消費電力量（Ｐｉ〜Ｐｉ−６）がグラフ化されて液晶表示部１６に表示される（Ｓ１８７）。このグラフの表示も、タイマがカウントするバックライト３１の点灯時間“ｔ”が所定時間を経過することにより（Ｓ１８０のＹＥＳ）、終了する（Ｓ１８１）。
【０１５９】
このような構成において、この第５の実施の形態では、室内機２Ａに記憶部４０が設けられているため、データ表示装置５Ａから送信されたタイムアップ信号を室内機２Ａが受信した場合（Ｓ１５５のＹＥＳ）の消費電力量“Ｐ”が最新の所定期間の消費電力量“Ｐｉ”として記憶部４０に記憶される（Ｓ１５７）。このため、ユーザは何らの操作を行うことなく、各所定期間ごとの消費電力量“Ｐｉ”を得ることができる。
【０１６０】
そして、データ表示装置５の推移データ表示釦１８がＯＮされた場合（Ｓ１８２のＹＥＳ）にデータ表示装置５から送信される推移データ表示リクエスト信号を室内機２Ａが受信すると（Ｓ１５９のＹＥＳ）、記憶部４０に記憶されていた過去の複数回(７回)の所定期間の消費電力量（Ｐｉ〜Ｐｉ−６）がデータ表示装置５に送信される（Ｓ１６２）。データ表示装置５においては、受信した一連の所定期間の消費電力量（Ｐｉ〜Ｐｉ−６）がグラフ化され、そのグラフが液晶表示部１６に表示される（Ｓ１８７）。したがって、ユーザは推移データ表示釦１８をＯＮすることにより直近の過去の複数回の所定期間の消費電力量を比較することができ、これにより省エネの意識を高めることができる。  また、リクエスト釦１７をＯＮすることにより（Ｓ１７４のＹＥＳ）、前回の所定期間の終了から今回の所定期間内における今現在までの消費電力量“Ｐｔ（＝Ｐ）”が液晶表示部１６に表示されるので（Ｓ１７９）、ユーザは今回の所定期間内における今現在までの消費電力量を知ることができ、これにより省エネの意識を高めることができる。
【０１６１】
なお、所定期間を１日にした場合はステップＳ１７２の判定基準は時計手段の“午前０：００”の時報となり、所定期間を暦月にした場合の判定基準は時計手段の“毎月月末日の午前０：００”の時報となる。さらには暦年では“１２月末日の午前０：００”の時報となる。さらに、毎月の特定の日を区切りにする、たとえば、“毎月２５日の午前０：００”の時報として、１ヶ月間の区切りで区分することも可能である。
【図面の簡単な説明】
【０１６２】
【図１】本発明の第１の実施の形態に係る空気調和機の全体構成を示す斜視図である。
【図２】データ表示装置の表示部の表示例を示す正面図である。
【図３】表示部に表示される消費電力量の１週間の推移を示すグラフである。
【図４】表示部に表示される電気代の１週間の推移を示すグラフである。
【図５】データ表示装置と室内機との内部構成を示すブロック図である。
【図６】室内機の制御について説明するフローチャートである。
【図７】データ表示装置の制御について説明するフローチャートである。
【図８】本発明の第２の実施の形態に係る空気調和機における室内機の制御について説明するフローチャートである。
【図９】本発明の第２の実施の形態に係る空気調和機におけるデータ表示装置の制御について説明するフローチャートである。
【図１０】本発明の第３の実施の形態に係る空気調和機における室内機の制御について説明するフローチャートである。
【図１１】本発明の第３の実施の形態に係る空気調和機におけるデータ表示装置の制御について説明するフローチャートである。
【図１２】本発明の第４の実施の形態に係る空気調和機におけるデータ表示装置の制御の一部について説明するフローチャートである。
【図１３】本発明の第４の実施の形態に係る空気調和機におけるデータ表示装置の制御の残りの一部について説明するフローチャートである。
【図１４】本発明の第５の実施の形態に係る空気調和機における室内機とデータ表示装置との内部構成を示すブロック図である。
【図１５】本発明の第５の実施の形態に係る空気調和機における室内機の制御について説明するフローチャートである。
【図１６】本発明の第５の実施の形態に係る空気調和機におけるデータ表示装置の制御について説明するフローチャートである。
【符号の説明】
【０１６３】
２…室内機（空調機本体）、２Ａ…室内機（空調機本体）、４…リモートコントローラ、５…データ表示装置、５Ａ…データ表示装置、１６…液晶表示部（表示部）、３２…時計手段、３５…記憶部、４０…記憶部
【図１】
2009264604.tif 000003
【図２】
2009264604.tif 000004
【図３】
2009264604.tif 000005
【図４】
2009264604.tif 000006
【図５】
2009264604.tif 000007
【図６】
2009264604.tif 000008
【図７】
2009264604.tif 000009
【図８】
2009264604.tif 000010
【図９】
2009264604.tif 000011
【図１０】
2009264604.tif 000012
【図１１】
2009264604.tif 000013
【図１２】
2009264604.tif 000014
【図１３】
2009264604.tif 000015
【図１４】
2009264604.tif 000016
【図１５】
2009264604.tif 000017
【図１６】
2009264604.tif 000018